(57)【要約】【課題】  オーディオ機器ではスピーカユニットの振動による高調波歪が音質の劣化や音像定位に悪影響を与えるので、スピーカエンクロージャの振動を除去する装置が求められている。【解決手段】  本発明はスピーカユニット１を取り付けたバッフル板２に外付振動伝達手段４を構成するスパイク部４１を当接させ、クランプ部４３により、バッフル板２の振動を振動吸収ボード３に伝達して振動を吸収することにより、バッフル板２の振動を直接吸収する振動除去装置を実現する。【選択図】  図２
2008199093.tif 000002
【特許請求の範囲】
【請求項１】
スピーカユニットを取り付けたバッフル板と、
前記バッフル板を収めるスピーカエンクロージャと、
前記スピーカエンクロージャを固定する振動吸収ボードと、
前記スピーカエンクロージャの外側に設ける外付振動伝達手段とを備え、
前記バッフル板の振動を前記外付振動伝達手段で前記振動吸収ボードに伝達して振動を吸収することを特徴とするスピーカの振動除去装置。
【請求項２】
前記バッフル板は前記スピーカエンクロージャの前面を構成することを特徴とする請求項１に記載のスピーカの振動除去装置。
【請求項３】
前記振動吸収ボードはL字に構成され、前記スピーカエンクロージャの底面および裏面と対向して配置され、前記外付振動伝達手段により前記バッフル板の振動を
裏面の前記振動吸収ボードに伝達することを特徴とする請求項１に記載のスピーカの振動除去装置。
【請求項４】
前記振動吸収ボードは中空部に砂を入れて振動を吸収することを特徴とする請求項１に記載のスピーカの振動除去装置。
【請求項５】
前記外付振動伝達手段はスパイク部とクランプ部とで構成され、前記クランプ部で前記スピーカエンクロージャを囲むようにして裏面の前記振動吸収ボードに固定し、前記バッフル板と前記クランプ部との間に前記スパイク部を挟持して、前記バッフル板の振動を前記スパイク部を介して前記クランプ部に伝達することを特徴とする請求項１に記載のスピーカの振動除去装置。
【請求項６】
前記スピーカエンクロージャの裏面と前記振動吸収ボードの間に前記スパイク部を挟持して、前記スピーカエンクロージャの裏面の前記バッフル板からの振動を前記スパイク部から前記振動吸収ボードに直接伝達することを特徴とする請求項５に記載のスピーカの振動除去装置。
【請求項７】
前記外付振動伝達手段はスパイク部とクランプ部とで構成され、前記クランプ部で前記スピーカエンクロージャの裏面を前記振動吸収ボードに引っ張って固定し、前記スピーカエンクロージャの裏面と前記振動吸収ボードとの間に前記スパイク部を挟持して、前記スピーカエンクロージャの裏面から前記バッフル板からの振動を前記スパイク部から前記振動吸収ボードに直接伝達することを特徴とする請求項１に記載のスピーカの振動除去装置。
【請求項８】
前記スピーカエンクロージャは底面に支持用のスパイクを設けて前記振動吸収ボードに載置されることを特徴とする請求項１に記載のスピーカの振動除去装置。
【請求項９】
スピーカユニットを取り付けたバッフル板と、
前記バッフル板に直接取り付けられた内蔵振動伝達手段と振動吸収ボードとを備え、
前記内蔵振動伝達手段および前記振動吸収ボードはスピーカエンクロージャ内に納め、前記バッフル板の振動を前記内蔵振動伝達手段で前記振動吸収ボードに伝達して振動を吸収することを特徴とするスピーカの振動除去装置。
【請求項１０】
前記内蔵振動伝達手段はスパイク部で構成され、前記バッフル板と前記振動吸収ボードとの間に設けられ、前記バッフル板からの振動を直接前記振動吸収ボードに伝達することを特徴とする請求項９に記載のスピーカの振動除去装置。
【請求項１１】
前記振動吸収ボードは中空部に砂を入れて振動を吸収することを特徴とする請求項９に記載のスピーカの振動除去装置。
【請求項１２】
前記バッフル板には前記スピーカユニットを囲むように振動絶縁溝を設けて前記スピーカユニットの振動が前記スピーカエンクロージャの他の部分に伝達しないようにすることを特徴とする請求項９に記載のスピーカの振動除去装置。
【請求項１３】
スピーカエンクロージャ内に固定された振動吸収ボード、
前記振動吸収ボードに内蔵振動伝達手段を介して直接取り付けられたスピーカユニットとを備え、
前記スピーカユニットは前記スピーカエンクロージャのバッフル板から空間を設けて露出され、前記スピーカユニットの振動を前記内蔵振動伝達手段で前記振動吸収ボードに直接伝達することを特徴とするスピーカの振動除去装置。
【請求項１４】
前記内蔵振動伝達手段はスパイク部とクランプ部とで構成され、前記クランプ部で前記スピーカユニットを前記振動吸収ボードに固定し、前記スピーカユニットと前記振動吸収ボード間に前記スパイク部を挟持させ、前記スピーカユニットの振動を前記スパイク部を介して前記振動吸収ボードに直接伝達することを特徴とする請求項１３に記載のスピーカの振動除去装置。
【発明の詳細な説明】
【技術分野】
【０００１】
本発明はスピーカの振動除去装置に関し、特に、オーディオ機器のスピーカエンクロージャに発生する振動を除去して音質と音像表現を改善するスピーカの振動除去装置に関する。更に、本発明は高調波歪の除去性能に優れ、高域の白色雑音成分を減衰させて高域のきつさを低減し、透明感のある再生音を実現し、実在感と臨場感を大幅に増加させ、音像の定位が明確になって音源位置の前後感や上下位置の表現が明確になるスピーカの振動除去装置に関する。
【背景技術】
【０００２】
オーディオ機器ではスピーカなどのように振動源自体を含んでいたりするために、機器に振動エネルギーが発生し、これらの振動が再生音に大きく影響して音質の劣化や音像定位に影響を与えている。
【０００３】
スピーカシステムは電気信号によりコーンなどを振動させて音響信号に変換する装置であるが、面の振動原理を用いるため、多かれ少なかれ、音響信号以外の不要な歪振動を発生し、忠実な信号再生が出来ない。この歪振動により、放射音（音響再生信号）に歪成分が混入し雑音となり、位相や振幅情報を乱し、音質や音像定位を劣化させている。
【０００４】
こうした対策の一つとして、特許文献１に示すように円錐形構造のスパイクが一段用いられた支持構造がすでに実用化されており、ある程度の効果が得られている。
【０００５】
また、特許文献２ではスピーカキャビネットの対向する面を外側から支柱などを用いて圧縮力を加えて、スピーカキャビネットの剛性を見かけ上強くして共振周波数や振動減衰特性等の固有値を変えて、スピーカ放射音の減衰特性を向上させるものである。
【特許文献１】実用新案登録第３１０７４６２号公報
【特許文献２】特開平７−７７７８号公報
【発明の開示】
【発明が解決しようとする課題】
【０００６】
前述した特許文献１に示す円錐形構造のスパイクを１段用いた支持構造では、振動絶縁用のゴム等の緩衝材に比べればオーディオ分野でもかなりの振動除去効果を示しているが、スピーカから発生する歪振動は依然発生するので、スピーカエンクロージャの底面からこの歪振動を外部に逃がすだけで根本的な対策になっていない問題点がある。
【０００７】
また、特許文献２に示す支柱によるスピーカキャビネットの剛性の補強でもスピーカから発生する歪振動は依然発生するので、スピーカキャビネットの歪振動に依る箱鳴りを抑えるだけであり、積極的に歪振動を除去するものではなく根本的な対策になっていない問題点がある。
【０００８】
更に、いずれの特許文献１、２もスピーカからの歪振動が最初に発生するバッフル板もしくはバッフル板に対向するエンクロージャ背面に対して取られる振動除去対策ではなくそのために振動除去効果も十分ではない問題点もある。
【０００９】
なお、本発明者は既に、特許第３８４８９８７号(特願２００５−３３２０８４)としてスピーカエンクロージャを載置する多段スパイク構造を提案している。しかし、スピーカユニットを固定するバッフル板から直接振動除去を行うものではないので、直接的なスピーカの振動除去となっていない問題点もあった。
【課題を解決するための手段】
【００１０】
本発明は上述した課題に鑑みてなされたものであり、スピーカユニットを取り付けたバッフル板と、前記バッフル板を収めるスピーカエンクロージャと、前記スピーカエンクロージャを載置する振動吸収ボードと、前記スピーカエンクロージャの外側に設ける外付振動伝達手段とを備え、前記バッフル板の振動を前記外付振動伝達手段で前記振動吸収ボードに伝達して振動を吸収することを特徴とする。
【００１１】
また、本発明では、前記バッフル板は前記スピーカエンクロージャの前面を構成することを特徴とする。
【００１２】
更に、本発明では、前記振動吸収ボードはL字に構成され、前記スピーカエンクロージャの底面および裏面と対向して配置され、前記外付振動伝達手段により前記バッフル板の振動を裏面の前記振動吸収ボードに伝達することを特徴とする。
【００１３】
更に、本発明では、前記振動吸収ボードは中空部に砂を入れて振動を吸収することを特徴とする。
【００１４】
更に、本発明では、前記外付振動伝達手段はスパイク部とクランプ部とで構成され、前記クランプ部で前記スピーカエンクロージャを囲むようにして裏面の前記振動吸収ボードに固定し、前記バッフル板と前記クランプ部との間に前記スパイク部を挟持して、前記バッフル板の振動を前記スパイク部を介して前記クランプ部に伝達することを特徴とする。
【００１５】
更に、本発明では、前記スピーカエンクロージャの裏面と前記振動吸収ボードの間に前記スパイク部を挟持して、前記スピーカエンクロージャの裏面の前記バッフル板からの振動を前記スパイク部から前記振動吸収ボードに直接伝達することを特徴とする。
【００１６】
更に、本発明では、前記外付振動伝達手段はスパイク部とクランプ部とで構成され、前記クランプ部で前記スピーカエンクロージャの裏面を前記振動吸収ボードに引っ張って固定し、前記スピーカエンクロージャの裏面と前記振動吸収ボードとの間に前記スパイク部を挟持して、前記スピーカエンクロージャの裏面から前記バッフル板からの振動を前記スパイク部から前記振動吸収ボードに直接伝達することを特徴とする。
【００１７】
更に、本発明では、前記スピーカエンクロージャは底面に支持用のスパイクを設けて前記振動吸収ボードに載置されることを特徴とする。
【００１８】
更に、本発明では、スピーカユニットを取り付けたバッフル板と、前記バッフル板に直接取り付けられた内蔵振動伝達手段と振動吸収ボードとを備え、前記内蔵振動伝達手段および前記振動吸収ボードはスピーカエンクロージャ内に納め、前記バッフル板の振動を前記内蔵振動伝達手段で前記振動吸収ボードに伝達して振動を吸収することを特徴とする。
【００１９】
更に、本発明では、前記内蔵振動伝達手段はスパイク部で構成され、前記バッフル板と前記振動吸収ボードとの間に設けられ、前記バッフル板からの振動を直接前記振動吸収ボードに伝達することを特徴とする。
【００２０】
更に、本発明では、前記振動吸収ボードは中空部に砂を入れて振動を吸収することを特徴とする。
【００２１】
更に、本発明では、前記バッフル板には前記スピーカユニットを囲むように振動絶縁溝を設けて前記スピーカユニットの振動が前記スピーカエンクロージャの他の部分に伝達しないようにすることを特徴とする。
【００２２】
更に、本発明では、スピーカエンクロージャ内に固定された振動吸収ボードと、前記振動吸収ボードに内蔵振動伝達手段を介して直接取り付けられたスピーカユニットとを備え、
前記スピーカユニットは前記スピーカエンクロージャのバッフル板から空間を設けて露出され、前記スピーカユニットの振動を前記内蔵振動伝達手段で前記振動吸収ボードに直接伝達することを特徴とする。
【００２３】
更に、本発明では、前記内蔵振動伝達手段はスパイク部とクランプ部とで構成され、前記クランプ部で前記スピーカユニットを前記振動吸収ボードに固定し、前記スピーカユニットと前記振動吸収ボード間に前記スパイク部を挟持させ、前記スピーカユニットの振動を前記スパイク部を介して前記振動吸収ボードに直接伝達することを特徴とする。
【発明の効果】
【００２４】
本発明のスピーカの振動除去装置では、振動吸収ボードと外付振動伝達手段により、記バッフル板の振動を直接的に外付振動伝達手段で振動吸収ボードに伝達して振動を吸収するので、バッフル板の不要の振動はすぐに除去され高調波歪の原因となるバッフル板自体の不要の振動を抑制できる。従来の対策であるスピーカエンクロージャの底面をスパイクで下方３点支持する場合では、バッフル板の振動がスピーカエンクロージャ全体に伝播した後に上下方向の振動をスパイクで外部に逃がしており、バッフル板自体の不要の振動に対する対策になっていなかった。
【００２５】
この結果、スピーカシステムの高調波歪が更に低減でき、伝達関数も改善できる。これにより以下の音質的改善効果が得られる。
【００２６】
１）キンキンしたうるささがなくなり、耳障りでなくなる。
【００２７】
２）高域の雑音感がなくなり（白色雑音的なサーというノイズがなくなる）、透明感が出る。
【００２８】
３）低音の放射効率が向上し、小型スピーカであっても十分な音量が実現できる。
【００２９】
４）音の情報量が増し、周囲状況（録音時の周囲環境、部屋の残響所状況など）がわかり、楽器など音源の周りに広がる音の空間の様子がわかるようになる。また、いっそう細かな音が聞き取れるようになる。分解能が向上する。
【００３０】
また、以下のような音像定位に関する効果も得られる。
【００３１】
１）音像の前後位置関係がいっそう明確になる。
【００３２】
２）音像の上下位置関係がいっそうはっきりし、位置が高くなる。
【００３３】
３）音像がくっきりと鮮明に認識できるようになる。ただし、マイクとの距離が遠く、残響の影響が大きい場合には大きな改善はないが、一方で、その距離感が奥行感となって、ステージの広がりをいっそう明確に表現する。
【００３４】
また、本発明のスピーカの振動除去装置では、振動吸収ボードをスピーカエンクロージャの底面および裏面と対向して配置し、外付振動伝達手段によりバッフル板の振動を裏面の振動吸収ボードに伝達することにより、スピーカエンクロージャの前後方向の振動を直接的に除去できる。
【００３５】
更に、本発明のスピーカの振動除去装置では、振動吸収ボードは中空部に砂を入れて振動を吸収するので、異音も発生せず振動の吸収を効率よく行える。
【００３６】
更に、本発明のスピーカの振動除去装置では、外付振動伝達手段はスパイク部とクランプ部とで構成され、クランプ部でスピーカエンクロージャを囲むようにして裏面の振動吸収ボードに固定し、バッフル板とクランプ部との間にスパイク部を挟持して、バッフル板の振動をスパイク部を介してクランプ部に伝達する構成になるため、既存のスピーカシステムに改造なしで応用できる。また、クランプ部でスピーカエンクロージャを締め付けるので、地震等の揺れに対しても頑強な支持が行える。
【００３７】
更に、本発明のスピーカの振動除去装置では、スピーカエンクロージャは底面に支持用のスパイクを設けて振動吸収ボードに載置されることにより、スピーカエンクロージャの上下方向の振動も振動吸収ボードに効率よく吸収できる。また、クランプ部の締め付けにより底面の支持用のスパイクは１個で済み、高価な多段の支持用のスパイクを最小限の個数に抑えられる。
【００３８】
更に、第２の実施の形態に示す本発明のスピーカの振動除去装置では、クランプ部でスピーカエンクロージャの裏面を振動吸収ボードに引っ張って固定し、スピーカエンクロージャの裏面と振動吸収ボードとの間にスパイク部を挟持して、スピーカエンクロージャの裏面からバッフル板からの振動をスパイク部から振動吸収ボードに直接伝達するので、バッフル板の振動を直接は除去できないが、対向する裏面の振動を直接除去できる。この結果、視聴者からは外付振動伝達手段を見えないようにでき、スピーカエンクロージャの前後方向の振動を直接除去できる。
【００３９】
更に、第３の実施の形態に示す本発明のスピーカの振動除去装置では、内蔵振動伝達手段および振動吸収ボードはスピーカエンクロージャ内に納め、バッフル板の振動を内蔵振動伝達手段で振動吸収ボードに伝達して振動を吸収するので、視聴者には振動除去装置が全く隠れてしまい、従来のスピーカシステムの外観と同様になり、従来通りの美感が維持できる。
【００４０】
更に、本形態では、バッフル板に設けた振動絶縁溝によりスピーカユニットの振動が絶縁されてスピーカエンクロージャに伝達され難くなり、振動絶縁溝をジェルで埋めることでスピーカエンクロージャからの空気の漏れも防止できる。
【００４１】
更に、前述した第1から第3の実施の形態に関する本発明のスピーカの振動除去装置では、スピーカユニットをバッフル板に固定する際に小型のスパイクを挟んで固定することにより、スピーカユニットからバッフル板への振動伝達の効率を向上でき、スピーカユニットに残る不要振動の残留量を一層低減することができる。
【００４２】
更に、第4の実施の形態に示す本発明のスピーカの振動除去装置では、スピーカユニット自体を直接内蔵振動伝達手段で直接振動吸収ボードに固定しているので、スピーカユニット自身の振動をスピーカエンクロージャに伝達することなく振動吸収ボードに吸収でき、スピーカユニットに残る不要振動の残留量を前述した本発明の他の実施の形態より更に一層低減することができる。
【００４３】
更に、本形態ではスピーカユニット自体がスピーカエンクロージャから空隙を設けて配置されるので、スピーカユニットの振動はスピーカエンクロージャに直接伝達されることがなく、究極の解決策となり得る。
【発明を実施するための最良の形態】
【００４４】
図１は本発明に依るスピーカの振動除去装置を説明する正面図であり、図２は本発明に依るスピーカの振動除去装置を説明する側面図であり、図３は本発明に依るスピーカの振動除去装置を説明する上面図である。図４は本発明に用いた振動吸収ボードを説明する断面図である。図５は本発明のスピーカの振動除去装置のスピーカユニットを説明する模式図である。図６は本発明のスピーカの振動除去装置のスピーカユニットの振動モデルを説明する模式図である。図７は本発明のスピーカの振動除去装置のスピーカユニットの振動特性を説明する特性図である。図８は本発明のスピーカの振動除去装置のバッフル板の振動測定装置の概略図である。図９は本発明のスピーカの振動除去装置のスピーカから出る放射音の高調波歪を測定する放射音測定装置の概略図である。
【００４５】
（第１の実施の形態）
第１の実施の形態によるスピーカの振動除去装置は、スピーカユニット１を取り付けたバッフル板２と、バッフル板２を収めるスピーカエンクロージャ１０と、スピーカエンクロージャ１０を載置する振動吸収ボード３と、スピーカエンクロージャ１０の外側に設ける外付振動伝達手段４から構成されている。
【００４６】
スピーカユニット１は通常、高音再生用のトゥイータ１１と低音再生用のウーハ１２を組み合わせ、メインアンプから音響入力信号によりコーン紙などの振動板を駆動して音を再生する。このスピーカユニット１はバッフル板２に設けた口径に対応する孔の周辺にネジ止めされ、上側にトゥイータ１１を下側にウーハ１２を少し離間して配置する。
【００４７】
バッフル板２は丈夫な板で形成され、スピーカエンクロージャ１０の前面板となる。スピーカエンクロージャ１０は上面板、底面板、左右の側板、バッフル板２と対向する裏面板とで構成され、いずれも剛性を持たせるために丈夫な板で形成される。
【００４８】
振動吸収ボード３は３段構造の板体であり、中間の板を周辺を残して中空部３１を作り、中空部３１に砂３２を入れる。砂３２はお互いに結合することがなくさらさらしているので振動により異音を発生せず、振動を効率よく吸収して他への振動の伝播を防ぐ。砂３２としては、できるだけ細かいものが振動吸収に適しており、砂時計に使う砂などが良い。
【００４９】
振動吸収ボード３は２枚をL字に配置してスピーカスタンド５に下側を固定する。この振動吸収ボード３はスピーカエンクロージャ１０の底面板および裏面板と近接して配置される。
【００５０】
スピーカエンクロージャ１０は１個あるいは３個の支持用スパイク６を用いて下側の振動吸収ボード３上に載置される。支持用スパイク６はシングルスパイクでもシングルスパイクを積層した多段スパイクでも良い。支持用スパイク６の形状は後述するスパイク部４１，４２と同様のものでよい。
【００５１】
外付振動伝達手段４は前後のスパイク部４１、４２とクランプ部４３とで構成され、スピーカエンクロージャ１０の外側から囲むように配置されてスピーカエンクロージャ１０を垂直側の振動吸収ボード３に固定をする。
【００５２】
クランプ部４３は前面の押さえ棒４４、真鍮(軟鉄でも良い)製長ねじ４５および背面の押さえ棒４６で構成され、前面の押さえ棒４４はスピーカエンクロージャ１０の前面のバッフル板２に近接して配置され、背面の押さえ棒４６は垂直側の振動吸収ボード３の裏側に当接して配置され、真鍮製長ねじ４５の長さを調整して前面の押さえ棒４４と背面の押さえ棒４６でスピーカエンクロージャ１０を挟んで垂直側の振動吸収ボード３に固定する。従って、前面の押さえ棒４４は目に見えるので彫刻や化粧板などで美感を持たせると良い。また、真鍮製長ねじ４５はスピーカエンクロージャ１０の左右側板の近くに位置するので、メッキなどで化粧をするとデザイン上で良い。
【００５３】
前後のスパイク部４１，４２はほぼ円錐状の金属であり、伝達される振動は円錐部分の底面に効率よく伝えられて円錐部分の頂点から外部に逃がすことができる。一方、外部から円錐部分の頂点に伝えられた振動はバネの弾性係数の違いで円錐部分の底面には伝達しにくくなる。これをメカニカルダイオードと呼び、振動を一方向にのみ伝達する特性を有する。すなわち、スピーカエンクロージャ１０からスパイク部４１，４２に伝えた振動が再びスピーカエンクロージャ１０ヘ戻らないように振動の伝達の抑制をする。
【００５４】
具体的に、スパイク部４１、４２は円錐部分の底面直径が２０ｍｍ、高さが１３ｍｍに設計される。スパイク部の材料は金属材料をＮＴ工作機で研削して形成される。特に、スパイク部の材料としては真鍮などの銅系の金属が最適である。スピーカエンクロージャの重量や振動によるスパイク部の頂点の摩耗による変形を生じない強度を考慮されるからである。スパイク部の円錐部分の頂角は５０度から１００度の範囲内で選ばれ、実験的には７２度程度が聴覚上最適であることが分かった。スパイク部の頂点は少し丸みを持たせ、スパイク受け４７の窪みで安定して支持させている。
【００５５】
前のスパイク部４１はクランプ部４３の前面の押さえ棒４４とバッフル板２のウーハとツィータの間に円錐部底面をバッフル板２に当接し、頂点を押さえ棒４４の裏側のスパイク受け４７に当接して配置される。これにより、前のスパイク部４１はクランプ部４３でしっかりと固定され、バッフル板２の振動を直ちにクランプ部４３に伝達して吸収される。前のスパイク部４１は通常１個であるが、複数個にしても良い。前のスパイク部４１はできるだけ大きな振動を発生するスピーカユニット１のウーハの近くに配置するのが振動をすぐに吸収できるので好ましい。
【００５６】
後のスパイク部４２はスピーカーエンクロージャ１０の裏面板と垂直側の振動吸収ボード３の間に円錐部底面をスピーカエンクロージャ１０側に当接し、頂点を振動吸収ボード３に設けたスパイク受け４７に当接して配置される。これにより、後のスパイク部４２はクランプ部４３の締め付け力でしっかりと固定され、スピーカエンクロージャ１０の裏面板から直接垂直側の振動吸収ボード３に振動を伝達して吸収する。後のスパイク部４２は２個で構成され、前述した前のスパイク部４１とで３点支持でクランプ部４３によりスピーカエンクロージャ１０は安定して固定される。後のスパイク部４２を１個にして、前のスパイク部４１を２個にする３点支持でも前例よりは安定性が劣るが良い。
【００５７】
次に、本発明の動作原理について説明する。
【００５８】
スピーカユニットは、マグネット、フレーム、振動板（コーン紙）、コイル、振動板エッジ(２箇所)から構成され、それぞれが質量、剛性、損失を持つ。ここで、簡略化のため、損失を無視するとスピーカユニットとバッフルの関係は図５の模式図に示される。これを集中定数の振動モデルで表現すると図６のような3自由度のモデルで書き表せる。
【００５９】
ここで、バッフルはエンクロージャとなっており、内部の空気によるバネ成分はｋe1に含む。バッフルは、不動点(振動的アース)上に置かれているが、バッフル自体が剛性を持っており、屈曲振動をするため無数の振動モードを持つと考えられる。それらをすべて含めて単純にバッフル質量ｍｂがバネｋｂで支えられているモデルと考えることができる。一方、スピーカユニットのマグネットはスピーカフレームを通してバッフルに接続されており、バッフルにバネｋｍで支えられている。スピーカユニットの振動板（コーン紙）は、振動板やコイルなどの質量をまとめてｍｃとするなら、これが、マグネットとバッフルの間で2個のバネke1及びke2で支えられている形となる。ここでｋはバネ係数を表している。
【００６０】
一方、電気信号による加振力f(ω)はコイルにより発生されるが、この力はマグネットを基準として相対的に発生される。したがって、スピーカユニットに加わる加振力は絶対的な基準（アース）に対して発生されていないので、再現性が低下する。これは、単純に見ても3自由度の振動形を構成しており、マグネット自体が3つのモードを持って振動し、これを基準にしてスピーカユニットの振動板に加振力を与えることになる。従って、振動板に伝達される力は、固有の伝達特性を持つこととなる。ここで、マグネットおよびバッフルが不動点であるなら、振動板に加わる加振力は、このモデルにおいて音響電気信号を忠実に再現するものとなる。以上により、バッフルの振動を除去することがバッフルを不動点にする効果があり、振動板に不要の振動を加えないのである。
【００６１】
更に、図６においてマグネットは十分に大きく重いので、マグネットの影響を無視して２自由度の振動モデルを想定し、振動板とバッフルのみで関係をモデル化し、バッフルの振動モードが加振力による振動板の振動にどのように影響するかをシミュレートした結果を図７に示す。
【００６２】
図７では、８０Hzあたりのピークはスピーカユニット（ウーハ）の共振モードであり、ｍｃとke1及びke2により決まるものであり、バッフルやスピーカユニットのフレームが剛体で振動しない場合のモードである。
【００６３】
一方、２３０Hz あたりのピークはバッフルの振動により、振動板の振動に影響が現れたもので、このモデルではバッフルが単一振動モードを持つ仮定でモデル化したため、乱れが1箇所のみとなった。しかし、バッフルは屈曲振動により無数のモードを持つため、こうした乱れは、モードの個数だけ生じると考えられる。この結果から、バッフルの振動抑制は音響電気信号の忠実な再現に大きな効果を生じることが示される。
【００６４】
続いて、前述した第１の実施の形態に基づいてその具体的な動作を説明する。
【００６５】
本形態では、特に、スピーカエンクロージャ１０を対象とし、スピーカユニット１には音響電気信号により発生する振動が伝播してスピーカエンクロージャ１０に上下方向、左右方向、前後方向の振動が発生する。この振動を振動吸収ボード３に直ちに吸収させることにより、音質の改善を目指す。
【００６６】
バッフル板２に当接した前のスパイク部４１からバッフル板２の振動をクランプ部４３の前面の押さえ棒４４に伝え、真鍮製長ねじ４５を通して背面の押さえ棒４６から垂直側の振動吸収ボード３の砂に吸収される。クランプ部４３はスピーカエンクロージャ１０をしっかりと振動吸収ボード３に固定しているので、バッフル板２の振動は直ちに振動吸収ボード３に伝えられ、バッフル板２の不要の振動を抑制する。これによりバッフル板の不要の振動が直ちに抑制される。
【００６７】
また、スピーカエンクロージャ１０の背面にバッフル板２の振動が内部の空気を介して伝えられるので、この振動をスピーカエンクロージャ１０の裏面板に当接する後のスパイク部４２から直接垂直側の振動吸収ボード３に伝えて砂で吸収する。これにより裏面板からの振動の反射が抑制される。
【００６８】
更に、バッフル板２の振動が内部の空気を介して伝えられて発生するスピーカエンクロージャ１０の上下方向の振動は底面板に設けた支持用スパイク６から直ちに下側の振動吸収ボード３に伝えられてその中の砂に吸収される。
【００６９】
更にまた、スピーカエンクロージャ１０の左右方向の振動も発生するが、他の方向に比べて音質への影響が少ないので、本実施の形態では考慮されていない。しかし、万全を期すのであれば、左右にも振動吸収ボード３を追加してスパイク部を設け、クランプ部４で他のスパイク部と同様に締め付ければ良い。
【００７０】
図８はバッフル板の振動測定装置の概略図である。
【００７１】
高速フーリエ変換装置（ＦＥＴアナライザ）から正弦波信号をネットワークを介してスピーカユニットであるウーファとツィータに周波数分割して印加し、スピーカエンクロージャのバッフル板の振動状態を非接触のレーザードプラ振動計で測定し、ＦＥＴアナライザで解析している。
【００７２】
この振動測定装置に使用する機器は以下の表１のように構成される。
【００７３】
【表１】
2008199093.tif 000003
表1で、ラインアンプＭＬ−３３Ｍｋ２は、ＤＡ変換の後、バッファアンプの出力のインピーダンスを下げて、一層高周波域での位相変化を抑えて音像定位を良くする為に用いる。
【００７４】
ここではスピーカエンクロージャ１０の底面に３段スパイクで下方３点支持の場合と、本実施の形態である前のスパイク部４１が１個のシングルスパイクで、後のスパイク部４２が２個のシングルスパイクで、底面の支持用スパイク６が３段スパイクによる下方１点支持の場合とでバッフル板の振動除去の特性について比較を行った。この比較結果表を表２に示す。
【００７５】
【表２】
2008199093.tif 000004
表２は下方３点支持の場合に対して本実施の形態の装置がどれだけ振動レベルが低いかを表しており、差の欄で負の値であるときは本実施の形態の装置の方が優れていることが示される。表２より、ウーファが主として再生を受け持つ１０００Ｈｚまでの低周波数帯ではかなりの差が出ている。ウーファは特にバッフル板に大きな振動を生じさせるので、本実施の形態の装置の効果が大きいことが明らかである。また、本実施の形態の装置では、高調波歪による振動はバッフル板表面上ではほとんどバックグラウンドノイズに埋もれて検出できなかった。
【００７６】
図９はスピーカから出る放射音の高調波歪を測定する放射音測定装置である。高速フーリエ変換装置（ＦＥＴアナライザ）からの正弦波信号をアンプで増幅してネットワークを介してスピーカユニットのツィータとウーファに周波数分割して印加し、スピーカの正面に設けたマイクロフォンで集音してその放射音の信号をＦＥＴアナライザで解析している。放射音の測定に使用する機器は表１に表示した。
【００７７】
【表３】
2008199093.tif 000005
正弦波信号入力に対する放射音の信号レベルと高調波歪を、下方３点支持の場合と本実施の形態の装置の場合とで比較した結果および改善度を表３に示す。正弦波信号は１０００Ｈｚと２０００Ｈｚの２周波数でのそれぞれ高調波歪成分の大きさを示している。改善度は下方３点支持の場合に対し本実施の形態の装置の場合がどの程度改善を示しているかを評価するため、上述の２周波数の正弦波信号に対しては、どれだけ出力レベルが増加したかを、また、高調波歪に対しては、正弦波信号と各次の高調波歪の差がどれだけ本装置の方で大きくなったかを表している。従って、改善度が正の値の場合改善され、負の場合悪化していることを示す。表３より、特にｌｋＨｚに対しては大きく改善されていることが明らかである。
【００７８】
表３において、２次以降の高調波の改善度の計算方法は、基本波と各支持法でのn次高調波のレベル差（Δεn＝基本波−n次高調波）をとってΔεnをそれぞれ求め、本装置でのΔεnから下方３点支持でのΔεnを引いて改善度とする。つまり、基本波に対してどれだけ高調波が減衰しているかを表している。
【００７９】
【表４】
2008199093.tif 000006
次に、下方３点支持の場合に対し本実施の形態の装置の場合の音質変化が聴感上確認できるので、白色雑音の信号入力と放射音間の周波数伝達関数の測定を行った。その結果については両者にほとんど差異がなく、音質変化の要因として特定するに至らなかった。スピーカヘの周波数伝達関数の平均値と分散を比較した結果を表４に示す。平均値で僅かに本実施の形態の装置の伝達能力が上回っている。また、平均周りの散らばりに関しても、本実施の形態の装置が散らばりが少なく安定していることが分かる。
【００８０】
（第２の実施の形態）
図１０〜図１２は本発明のスピーカの振動除去装置の第２の実施の形態を説明する正面図、側面図、上面図である。
【００８１】
第２の実施の形態によるスピーカの振動除去装置は、上述した第１の実施の形態で外付振動伝達手段４に変更を加えたものである。
【００８２】
図１０〜図１２に示すように、前のスパイク部４１を無くして後のスパイク部４２のみとし、クランプ部４３をスピーカエンクロージャ１０の裏面板から出して振動吸収ボード３に固定するように変更する。これにより第１の実施の形態で用いた前面の押さえ棒４４と真鍮製長ねじ４５が廃止されて、背面板に一端を固定された真鍮製ねじ４８を用いてスピーカエンクロージャ１０を直接垂直側の振動吸収ボード３側に引っ張って固定する。この結果、クランプ部４３がスピーカエンクロージャ１０の裏面に隠れて視聴者の美感が増加する。
【００８３】
後のスパイク部４２は安定した支持を得るために３個のシングルスパイクによる３点支持にすればスピーカエンクロージャ１０は安定して垂直側の振動吸収ボード３に固定される。
【００８４】
性能面ではバッフル板２から直接振動を伝達する前のスパイク部４１が無くなるので、バッフル板の振動は対向する裏面板から後のスパイク部４２で振動吸収ボード３に伝えられる。このためにバッフル板２の振動を直接抑制することはできなくなるが、対抗するスピーカエンクロージャ１０の裏面板の振動を抑制することで下方３点支持の場合よりは前後方向の振動の吸収は速く行え、バッフル板２の振動抑制には効果が大きい。
【００８５】
また、クランプ部４３の真鍮製ねじ４８はスピーカエンクロージャ１０の背面板を貫通してバッフル板２の裏面に一端を固定されるとバッフル板２の振動を直接真鍮製ねじ４８を介して振動吸収ボード３に伝達できる。これにより前述した背面板に一端を固定された真鍮製ねじ４８を用いた場合に比べて更に振動抑制の効果が大きくできる。なお、真鍮製ねじ４８が貫通する背面板の孔はジェルで埋めてスピーカエンクロージャからの空気の漏れを防ぐことができる。
【００８６】
（第３の実施の形態）
図１３および図１４は本発明のスピーカの振動除去装置の第３の実施の形態を説明する上面図、背面図である。
【００８７】
第３の実施の形態によるスピーカの振動除去装置は第１の実施の形態で用いた振動吸収ボード３と外付振動伝達手段４とをスピーカエンクロージャ１０の内部に収めることに特徴がある。
【００８８】
図１３および図１４に示すように、第３の実施の形態によるスピーカの振動除去装置は、スピーカユニット１を取り付けた中央バッフル板２０と、中央バッフル板２０に直接取り付けられた内蔵振動伝達手段４００と振動吸収ボード３００と中央バッフル板の周囲を囲む周囲バッフル板２１および周囲バッフル板２１が取り付けられるエンクロージャ１０から構成される。本形態のバッフル板２０、２１は第１の形態とは異なり、中央バッフル板２０と周囲バッフル板２１とは振動絶縁溝２２で切り離されており、振動絶縁溝２２には空気漏れを防ぎかつ振動的に絶縁できるシリコン樹脂などのコーキング材より成るジェル２３で充填される。従って、中央バッフル板２０と周囲バッフル板２１とは一体の構造になり、バッフル板２を構成している。
【００８９】
スピーカユニット１は前述した第１の実施の形態と同様であるので、ここでは説明を省略する。
【００９０】
内蔵振動伝達手段４００は中央バッフル板２０の裏面に当接して設けられた複数個のスパイク部４０１とクランプ部４０２で構成される。複数個のスパイク部４０１はスピーカユニット１のウーファの周囲に３個ほど配置されている。クランプ部４０２は振動吸収ボード３００を真鍮長ねじ４０２を締め付けることで、中央バッフル板２０と振動吸収ボード３００の間に複数個のスパイク部４０１を挟持する。なお、中央バッフル板２０にはスピーカユニット１が取り付けられているので、振動吸収ボード３００はスピーカユニット１の厚み分以上は中央バッフル板２０から離間して設けなくてはならないので、複数個のスパイク部４０１は多段のスパイクにしたり、スパイク受け４７を円柱状に長く形成してやる必要がある。
【００９１】
振動吸収ボード３００は第１の実施の形態と同様の図４に示す構造であり、中央バッフル板２０の振動を複数個のスパイク部４０１から直接振動吸収ボード３００に伝えて砂でその振動を吸収する。
【００９２】
本実施の形態では振動除去装置がすべてスピーカエンクロージャ１０内に納められるので、リスナーは振動除去装置の存在を認識できない利点がある。また、スピーカユニットからの振動が周囲バッフル板２１やエンクロージャ１０へ伝達されるのが極力抑えられ、さらに、音質改善の効果が増大される。
【００９３】
図１５（Ａ）（Ｂ）は本発明のスピーカの振動除去装置に適用できる他の形態のスピーカユニット取り付け部の詳細図である。このスピーカユニット取り付け部はバッフル板にスピーカユニットを固定する前述した第１〜第３の実施の形態に適用ができる。
【００９４】
図１５（Ａ）に示すように、スピーカユニット１の取り付けフレームとバッフル板２との間に、小型のスパイク５２を挟み、スピーカユニット１の表側にも小型のスパイク５２をおいてスパイク受け４７で挟み、このスパイク受け４７をボルト５０とナット５１で押さえつけてバッフル板２に固定する。この時、ボルト５０はスピーカユニット１のフレームに接触しないようにする。
【００９５】
図１５（Ｂ）に示すように、ボルト５０の両側の接近した位置にスパイク５２を配置して、ボルト５０とナット５１を締め付けて小型のスパイク５２を固定する。小型のスパイク５２はメカニカルダイオード効果を持たせるためにスピーカユニット１のフレーム側に円錐の底面を当接させ、先端はスパイク受け４７で受けるように配置される。
【００９６】
このようなスピーカユニット取り付け部では、スピーカユニット１のフレームに生じる振動が効率よく小型のスパイク５２を介してバッフル板２に逃がされ、バッフル板２からの振動の逆戻りは無くなる。このために、スピーカユニット１の振動がバッフル板２に不要の振動を発生させず、振動吸収ボード３に吸収されるので、音質改善の効果が更に増大される。
【００９７】
（第４の実施の形態）
図１６および図１７は本発明のスピーカの振動除去装置の第４の実施の形態を説明する図であり、図１６はスピーカユニット取り付け部の詳細を説明し、図１７はバッフル板とスピーカユニットの関係を示している。
【００９８】
図１６に示すように本実施の形態によるスピーカの振動除去装置は、バッフル板２にスピーカユニット１を取り付けない点に特徴がある。Ｌ字の振動吸収ボード３００は底面側をスピーカエンクロージャ１０の内側の底面に固定され、垂直側に直接スピーカユニット１を固定する。
【００９９】
スピーカユニット１は内蔵振動伝達手段４００により直接振動吸収ボード３００に固定される。内蔵振動伝達手段４００はスパイク部４０１とクランプ部４０２で構成される。
【０１００】
スパイク部４０１はスピーカユニット１のフレーム１０１と振動吸収ボード３００の間に配置する４個の長いスパイク４０１Ｌ(円錐状の底面をフレーム側に当接)と、スピーカユニット１のマグネット１０２と振動吸収ボード３００の間に配置する１個の太いスパイク４０１Ｆ(円錐状の底面をマグネット側に当接)、クランプ部４０２の裏側の押さえ棒４０４と振動吸収ボード３００の間に配置する２個の短いスパイク４０１Ｓ(円錐状の底面を押さえ棒側に当接)で構成される。いずれのスパイクの先端はスパイク受け４７を用いて受けている。
【０１０１】
クランプ部４０２は真鍮製長ねじ４０３と裏側の押さえ棒４０４で構成される。真鍮製長ねじ４０３はスピーカユニット１のフレーム１０１に設けたねじ孔１０３を通り、他端を裏側の押さえ棒４０４を通してナットで締め付ける。この締め付け力でスピーカユニット１はスパイク部４０１を介して振動吸収ボード３００に固定される。
【０１０２】
図１７に示すように、バッフル板２にはスピーカユニット１より少し大きい孔２０１が設けられ、この孔２０１に接触しないようにスピーカユニット１が露出される。従って、スピーカユニット１とバッフル板２の間にはわずかな空隙２０２が形成されている。
【０１０３】
本実施の形態では、スピーカユニット１は完全に振動吸収ボード３００のみで支持固定されるので、スピーカユニット１の振動はすべて振動吸収ボード３００で吸収されて、スピーカエンクロージャに直接伝達されることがない。また質量の大きなスピーカユニット１のマグネット１０２もスパイク部４０１を用いて振動を振動吸収ボード３００に逃がしているので、究極の不要の振動除去を実現できる。
【０１０４】
本実施の形態では、スピーカユニット１のマグネット１０２やフレーム１０１に生じる振動を一番短いパスで直接振動吸収ボード３００に逃がすため、理想的な振動除去が行え、音質改善の効果が究極的に改善される。
【産業上の利用可能性】
【０１０５】
本発明はオーディオ機器として用いるスピーカシステムについて、バッフル板に必然的に発生する振動を抑制または除去する性能を大幅に向上して、音質と音像表現を著しく改善するスピーカを実現する。特に、高調波歪の除去性能に優れ、高域の白色雑音成分を減衰させて高域のきつさを低減し、透明感のある再生音を実現し、実在感と臨場感を大幅に増加させ、音像の定位が明確になって音源位置の前後感や上下位置の表現が明確になるスピーカを実現する。
【図面の簡単な説明】
【０１０６】
【図１】本発明のスピーカの振動除去装置の第１の実施の形態を説明する正面図である。
【図２】本発明のスピーカの振動除去装置の第１の実施の形態を説明する側面図である。
【図３】本発明のスピーカの振動除去装置の第１の実施の形態を説明する上面図である。
【図４】本発明のスピーカの振動除去装置の振動吸収ボードを説明する断面図である。
【図５】本発明のスピーカの振動除去装置のスピーカユニットを説明する模式図である。
【図６】本発明のスピーカの振動除去装置のスピーカユニットの振動モデルを説明する模式図である。
【図７】本発明のスピーカの振動除去装置のスピーカユニットの振動特性を説明する特性図である。
【図８】本発明のスピーカの振動除去装置のバッフル板の振動測定装置の概略図である。
【図９】本発明のスピーカの振動除去装置のスピーカから出る放射音の高調波歪を測定する放射音測定装置の概略図である。
【図１０】本発明のスピーカの振動除去装置の第２の実施の形態を説明する正面図である。
【図１１】本発明のスピーカの振動除去装置の第２の実施の形態を説明する側面図である。
【図１２】本発明のスピーカの振動除去装置の第２の実施の形態を説明する上面図である。
【図１３】本発明のスピーカの振動除去装置の第３の実施の形態を説明する上面図である。
【図１４】本発明のスピーカの振動除去装置の第３の実施の形態を説明する背面図である。
【図１５】（Ａ）（Ｂ）は本発明のスピーカの振動除去装置に適用できるスピーカユニット取り付け部の側面図及び部分上面図である。
【図１６】本発明のスピーカの振動除去装置の第４の実施の形態を説明する上面図である。
【図１７】本発明のスピーカの振動除去装置の第４の実施の形態を説明する正面図である。
【符号の説明】
【０１０７】
１          スピーカユニット
２          バッフル板
３          振動吸収ボード
４          外付振動伝達手段
４１、４２  前後のスパイク部
４３        クランプ部
４４        前面の押さえ棒
４５        真鍮製長ねじ
４６        背面の押さえ棒
４７        スパイク受け
５          スピーカスタンド
６          支持用スパイク
１０        スピーカエンクロージャ
３００      振動吸収ボード
４００      内蔵振動伝達手段
【図１】
2008199093.tif 000007
【図２】
2008199093.tif 000008
【図３】
2008199093.tif 000009
【図４】
2008199093.tif 000010
【図５】
2008199093.tif 000011
【図６】
2008199093.tif 000012
【図７】
2008199093.tif 000013
【図８】
2008199093.tif 000014
【図９】
2008199093.tif 000015
【図１０】
2008199093.tif 000016
【図１１】
2008199093.tif 000017
【図１２】
2008199093.tif 000018
【図１３】
2008199093.tif 000019
【図１４】
2008199093.tif 000020
【図１５】
2008199093.tif 000021
【図１６】
2008199093.tif 000022
【図１７】
2008199093.tif 000023